(57)【要約】【課題】  汚物吸引ホース内を簡単に洗浄することができる。【解決手段】  オムツに、汚物吸引ホース１６と送風ホース１８とが着脱自在に接続され、送風ホース１８を介して洗浄水および空気を混合してオムツ内に噴射するとともに、汚物吸引ホース１６を介してオムツ内の汚物を吸引する排泄物処理本体と、汚物吸引ホース１６および送風ホース１８がオムツから取り外された際に、汚物吸引ホース１６と送風ホース１８とを連通させ、送風ホース１８から噴射される洗浄水および空気を、汚物吸引ホース１６に導くアダプタ３１３とを備え、このアダプタ３１３により汚物吸引ホース１６と送風ホース１８とを連通させた状態で、排泄物処理本体を動作させて汚物吸引ホース１６内を洗浄する。【選択図】      図９
2005334543.tif 000002
【特許請求の範囲】
【請求項１】
オムツに、汚物吸引ホースと送風ホースとが着脱自在に接続され、前記送風ホースを介して洗浄水および空気を混合して前記オムツ内に噴射するとともに、前記汚物吸引ホースを介して前記オムツ内の汚物を吸引する排泄物処理手段と、
前記汚物吸引ホースおよび前記送風ホースが前記オムツから取り外された際に、前記汚物吸引ホースと前記送風ホースとを連通させ、前記送風ホースから噴射される洗浄水および空気を、前記汚物吸引ホースに導く連通手段とを備え、
この連通手段により前記汚物吸引ホースと前記送風ホースとを連通させた状態で、前記排泄物処理手段を動作させて前記汚物吸引ホース内を洗浄することを特徴とする排泄物処理装置。
【請求項２】
前記オムツには、前記汚物吸引ホースが接続される汚物吸引ホース接続口と、前記送風ホースが接続される送風ホース接続口とが形成されており、
前記各ホースを保持し、且つ、前記オムツに取り付けられたときに、前記各ホースを前記各接続口に接続する接続部材を備え、
前記連通手段は、
前記接続部材が前記オムツから取り外されたときに、当該接続部材に取り付けられ、且つ、前記汚物吸引ホースと前記送風ホースとを連通させる連通経路を有するアダプタであることを特徴とする請求項１に記載の排泄物処理装置。
【請求項３】
前記送風ホースから洗浄水および空気を噴射させて前記汚物吸引ホース内を洗浄する洗浄運転を行わせるスイッチを備えたことを特徴とする請求項１又は請求項２に記載の排泄物処理装置。
【請求項４】
オムツに、汚物吸引ホースと送風ホースとが着脱自在に接続され、前記送風ホースを介して洗浄水および空気を混合して前記オムツ内に噴射するとともに、前記汚物吸引ホースを介して前記オムツ内の汚物を吸引する排泄物処理手段を備えた汚物処理装置のホース洗浄方法において、
前記汚物吸引ホースおよび前記送風ホースを前記オムツから取り外し、前記汚物吸引ホースと前記送風ホースとを連通させた状態で、前記排泄物処理手段を動作させ、前記送風ホースから噴射される洗浄水および空気を、前記汚物吸引ホースに導いて当該汚物吸引ホース内を洗浄することを特徴とする汚物処理装置のホース洗浄方法。
【発明の詳細な説明】
【技術分野】
【０００１】
汚物吸引ホース内を洗浄する排泄物処理装置および汚物処理装置のホース洗浄方法に関する。
【背景技術】
【０００２】
一般に、オムツに、汚物吸引ホースと送風ホースとが着脱自在に接続され、送風ホースを介して洗浄水および空気を混合してオムツ内に噴射するとともに、汚物吸引ホースを介してオムツ内の汚物を吸引する排泄物処理装置が知られている（例えば、特許文献１参照）。
【特許文献１】特開２００２−１５３４９８号公報
【発明の開示】
【発明が解決しようとする課題】
【０００３】
上記排泄物処理装置では、次第に汚物吸引ホース内が汚物で汚れてくるので、汚物吸引ホース内を洗浄する必要がある。
【０００４】
しかしながら、この汚物吸引ホースを洗浄する際には、当該汚物吸引ホースをオムツおよび排泄物処理装置本体から取り外して介護者が洗浄しなければならなかったため、汚物吸引ホースの洗浄作業が介護者にとって大きな負担となっていた。
【０００５】
そこで、本発明の目的は、上述した従来の技術が有する課題を解消し、汚物吸引ホース内を簡単に洗浄することができる排泄物処理装置および汚物処理装置のホース洗浄方法を提供することにある。
【課題を解決するための手段】
【０００６】
上記課題を解決するため、本発明は、排泄物処理装置であって、オムツに、汚物吸引ホースと送風ホースとが着脱自在に接続され、前記送風ホースを介して洗浄水および空気を混合して前記オムツ内に噴射するとともに、前記汚物吸引ホースを介して前記オムツ内の汚物を吸引する排泄物処理手段と、前記汚物吸引ホースおよび前記送風ホースが前記オムツから取り外された際に、前記汚物吸引ホースと前記送風ホースとを連通させ、前記送風ホースから噴射される洗浄水および空気を、前記汚物吸引ホースに導く連通手段とを備え、この連通手段により前記汚物吸引ホースと前記送風ホースとを連通させた状態で、前記排泄物処理手段を動作させて前記汚物吸引ホース内を洗浄することを特徴とするものである。
【０００７】
上記排泄物処理装置において、前記オムツには、前記汚物吸引ホースが接続される汚物吸引ホース接続口と、前記送風ホースが接続される送風ホース接続口とが形成されており、前記各ホースを保持し、且つ、前記オムツに取り付けられたときに、前記各ホースを前記各接続口に接続する接続部材を備え、前記連通手段は、前記接続部材が前記オムツから取り外されたときに、当該接続部材に取り付けられ、且つ、前記汚物吸引ホースと前記送風ホースとを連通させる連通経路を有するアダプタであってもよい。
【０００８】
また、上記排泄物処理装置において、前記送風ホースから洗浄水および空気を噴射させて前記汚物吸引ホース内を洗浄する洗浄運転を行わせるスイッチを備えてもよい。
【０００９】
また、オムツに、汚物吸引ホースと送風ホースとが着脱自在に接続され、前記送風ホースを介して洗浄水および空気を混合して前記オムツ内に噴射するとともに、前記汚物吸引ホースを介して前記オムツ内の汚物を吸引する排泄物処理手段を備えた汚物処理装置のホース洗浄方法において、前記汚物吸引ホースおよび前記送風ホースを前記オムツから取り外し、前記汚物吸引ホースと前記送風ホースとを連通させた状態で、前記排泄物処理手段を動作させ、前記送風ホースから噴射される洗浄水および空気を、前記汚物吸引ホースに導いて当該汚物吸引ホース内を洗浄することを特徴とするものである。
【発明の効果】
【００１０】
本発明によれば、汚物吸引ホース内を簡単に洗浄することができる。
【発明を実施するための最良の形態】
【００１１】
以下、図面を参照して本発明の実施の形態について説明する。図１は、本発明の実施形態にかかる排泄物処理システム１の構成を示す図である。この図１に示すように、排泄物処理システム１は、使用者３の腰臀部に装着されるオムツ１２と、オムツ１２内部の排泄物または汚水を吸引し蓄積する排泄物処理装置１４と、使用者３が横たわるマット１０とを備えている。オムツ１２と排泄物処理装置１４とは、汚物吸引ホース１６、洗浄水ホース１７および送風ホース１８により接続され、排泄物処理装置１４は、洗浄水ホース１７や送風ホース１８を介して洗浄水や空気をオムツ１２内に供給し、汚物吸引ホース１６を介してオムツ１２内の汚物を吸引する。
【００１２】
図２は、排泄物処理装置１４の外観を示す斜視図である。また、図３は、オムツ１２の外観構成を示す斜視図である。また、図４は、オムツ１２の展開図である。
【００１３】
排泄物処理装置１４は、排泄物処理本体１４ａを備え、この排泄物処理本体１４ａは、筐体１５の収納部１５ａに収納されている。この筐体１５の収納部１５ａの天部には、排泄物処理本体１４ａの一部としての排泄タンク２００および除臭・殺菌器２０７を露出させたり、この収納部１５ａを閉塞する開閉自在の蓋体１５ｂが設けられている。
【００１４】
オムツ１２は、図３に示すように、使用者３に装着された状態では、股下が短く膝上丈の、いわゆるショーツ（ショートパンツ）を摸した外観をなしており、その股間に位置する箇所には、汚物収集トレイ１２０及びカップ１２１が設けられている。
【００１５】
汚物収集トレイ１２０のトレイ本体１２０ａには、図４に示すように、汚物吸引ホース接続口１２２、洗浄水ホース接続口１２３、及び送風ホース接続口１２４を有する接続部１２５が設けられている。
【００１６】
汚物吸引ホース接続口１２２には、汚物吸引ホース１６が取り付けられ、オムツ１２内の排泄物および汚水等の汚物が、排泄物処理装置１４の吸引機構（後述）により、汚物吸引ホース接続口１２２から汚物吸引ホース１６を通して排泄物処理装置１４に吸引され、図２に示す排泄物処理装置１４の排泄タンク２００に貯留される。
【００１７】
洗浄水ホース接続口１２３には、洗浄水ホース１７が取り付けられ、排泄物処理装置１４から洗浄水が、洗浄水ホース１７を介してオムツ１２内に供給される。また、送風ホース接続口１２４には、送風ホース１８が取り付けられ、排泄物処理装置１４から空気あるいは空気とともに洗浄水が、送風ホース１８を介してオムツ１２内に供給される。
【００１８】
各ホース１６、１７、１８の一端は、図３に示すように、汚物収集トレイ１２０の接続部１２５に着脱自在に接続するための接続部材１９に固定されている。この接続部材１９を汚物収集トレイ１２０の接続部１２５に取り付けた際には、汚物吸引ホース１６の一端が、汚物吸引ホース接続口１２２に接続され、洗浄水ホース１７の一端が、洗浄水ホース接続口１２３に接続され、送風ホース１８の一端が、送風ホース接続口１２４に接続される。
【００１９】
オムツ１２は、図４に示すように、カップ１２１から前方に延在し使用者３の臍下付近を覆う腹当て部１２ａと、汚物収集トレイ１２０から後方に延在し、使用者３の臀部を覆う背当て部１２ｂとを有している。すなわち、オムツ１２は、腹当て部１２ａを備えたカップ１２１と、背当て部１２ｂを備えた汚物収集トレイ１２０とを上下に重ね合わせて接続した形状と略等しい形状を有している。
【００２０】
オムツ１２の腹当て部１２ａおよび背当て部１２ｂは、通気性が良く、なおかつ、水分を通さない素材（例えばＰＴＦＥ：ポリテトラフロロエチレン）から形成されており、使用者３が長時間装着し続けても、発汗によるムレが防止されるようになっている。
【００２１】
また、背当て部１２ｂの左側部１２ｂＬと右側部１２ｂＲには、止着部１２６が夫々取り付けられている。これら止着部１２６の上面（図面上面）には、夫々ベルクロワファスナー（いわゆる、マジックテープ（登録商標））が貼着されており、止着部１２６が腹当て部１２ａの表面に止着する構成となっている。
【００２２】
使用者３にオムツ１２を装着する場合には、カップ１２１および汚物収集トレイ１２０を股間にあてがう一方、従来のオシメをはかすように、背当て部１２ｂを臀部に、腹当て部１２ａを臍下付近にあてがい、腰および大腿部に巻き付けるべく背当て部１２ｂの両側部１２ｂＬ、１２ｂＲに設けられた止着部１２６を腹当て部１２ａの上面まで運んで貼付固定する。
【００２３】
図５はオムツ１２の側面図であり、また、図６はその断面図である。これら図５および図６に示すように、オムツ１２は、湾曲したカップ１２１と、背面（使用者３の臀部に対向する面）を略平面とし、底面の一端に、各ホース接続口１２２、１２３、１２４が一体に成形された汚物収集トレイ１２０とを上下に重ねた構成となっている。
【００２４】
また、図６に示すように、この汚物収集トレイ１２０の背面の一端には、洗浄水ホース接続口１２３を介して供給された洗浄水を噴射するため、先端に小孔を有する洗浄口１３０ａ、１３０ｂを備えると共に、背面の他端には、汚物吸引ホース接続口１２２に向けて設けられ、且つ、洗浄口１３０ａ、１３０ｂに夫々設けられた小孔より大きな開口面積を有する洗浄口１３４ａを備えており、各洗浄口１３０ａ、１３０ｂには、洗浄水ホース接続口１２３を介して排泄物処理装置１４から洗浄水が供給され、洗浄口１３４ａには、洗浄水ホース接続口１２３よりも太い径の送風ホース接続口１２４を介して排泄物処理装置１４から空気と洗浄水とが混合されて供給される構成となっている。
【００２５】
洗浄口１３４ａは、汚物を汚物吸引ホース接続口１２２が設けられている方へ押し流すためのものであり、汚物収集トレイ１２０の背面（使用者３の臀部に対向する面）に設けられ、その噴射口の方向が汚物吸引ホース接続口１２２を向くように設定されている。洗浄口１３０ａは、使用者３の肛門を洗浄するためのものであり、汚物吸引ホース接続口１２２付近に設けられ、その噴射口の方向は、洗浄水が使用者３の肛門に向けて噴射されるように設定されている。また、洗浄口１３０ｂは、女性使用者３の陰部を洗浄するためのものであり、使用者３の下腹部に相当する位置付近に設けられ、その噴射口の方向は、洗浄水が女性使用者３の陰部に向けて噴射されるように設定されている。なお、洗浄水は、使用者３の不快感を招かぬよう適度な温度の温水であることが望ましい。このように、汚物収集トレイ１２０には、女性の陰部（特に、尿内、ちつ等）を洗浄するための洗浄口１３０ｂが設けられているため、排尿後も陰部を清潔に保ち、不快感を覚えることのないようになっている。なお、使用者３が男性である場合を考慮して、洗浄水ホース１７と洗浄口１３０ｂとの間に開閉弁などを設け、洗浄口１３０ａからの洗浄水噴射を選択的に行う構成としても良い。
【００２６】
さらに、汚物収集トレイ１２０の背面には、複数個の水分検知センサ２１７が設けられており、使用者３から排泄物が排泄されたか否かを検出するものとなっている。この水分検知センサ２１７で検出されたことを示す信号は、信号配線２１９（図２）により、後述する排泄物処理装置１４の制御部２１６（図７）へ伝達される。
【００２７】
このような構成の下、使用者３が排泄した後、排泄物処理装置１４から洗浄口１３４ａに洗浄水と空気とが混合されて供給される。これにより、排泄物が汚物吸引ホース接続口１２２の方へ流される。次いで、排泄物処理装置１４は、洗浄口１３０ａ、１３０ｂに洗浄水が供給され、使用者３の肛門および陰部の洗浄が行われる。なお、使用者３が男性である場合など、陰部の洗浄が必要ない場合には、洗浄口１３０ｂから洗浄水を噴出しない構成としても良い。
【００２８】
この構成において、排泄物は汚物吸引ホース接続口１２２を介して洗浄水や尿などと共に、排泄物処理装置１４により汚物吸引ホース１６を経由して吸引排出される。この汚物吸引ホース１６は、排泄物処理装置１４が汚物を空気の圧力差で吸引しても管径が変化しないよう剛性をもった屈曲管で形成されている。
【００２９】
次いで、排泄物処理装置１４について説明する。図７は、排泄物処理装置１４の構成を示す模式図である。この図７において、排泄タンク２００は、排泄物および汚物（洗浄水など）を貯留するものであり、上述のように、汚物吸引ホース１６を介してオムツ１２の汚物吸引ホース接続口１２２に接続されている。排泄タンク２００の内部には、このタンク内に貯留された汚物および排泄物の液面位置を検出する液面センサ２０１が設けられており、排泄タンク２００に貯留されている排泄物および汚物の量が検出される。
【００３０】
２０５は、送風ブロワである。また、排泄タンク２００の上部の出口には、液体を除去し気体のみを通過させるセパレータ２０２が設けられ、このセパレータ２０２（すなわち、排泄タンク２００の出口）は、空気管１４０、脱臭・除菌器２０７、空気管１４１を経て送風ブロワ２０５の吸込口に接続されている。一方、送風ブロワ２０５の吐出口には、空気管１４３、分岐管１４４、空気管１４５が順次接続され、空気管１４５が、送風ホースを介して送風ホース接続口１２４（図６）に接続される。これによって、洗浄口１３４ａを通ってオムツ１２内に空気が供給される。空気管１４３と空気管１４５との間に介挿されている分岐管１４４の分岐先には、空気管１５０、二方弁２１８、空気管１５１、分岐管１７０が順次接続されている。
【００３１】
２１０は、洗浄水を貯留する洗浄水タンクである。この、洗浄水タンク２１０の底部には、貯留されている洗浄水を暖める温水ヒータ２１１が設けられ、また、洗浄水タンク２１０の内部には、貯留洗浄水の水温を検出するサーミスタ２１２と、貯留洗浄水の量を検出するフロートセンサ（水位計）２１３とが設けられており、貯留洗浄水の量と、その水温とを監視可能になっている。洗浄水タンク２１０の上部には、図示せぬ注入口が設けられており、この洗浄水タンク２１０に洗浄水を給水する場合には、その注入口から注入する。また、洗浄水タンク２１０の下部には、水抜コック（活栓）２１４を備える水管１４７が接続されており、洗浄水タンク２１０から洗浄水を抜く場合には、水抜コック２１４を開き、水管１４７から洗浄水を外部に流出させる。さらに、洗浄水タンク２１０に設けられた水出口には、水管１４８、ウォータポンプ２１５、水管１４９、分岐管１７０、水管１５２が順次接続される。この水管１５２が、洗浄水ホース１７を介して洗浄水ホース接続口１２３（図６）に接続される。これにより洗浄口１３０ａ、１３０ｂを通じてオムツ１２内に洗浄水が供給される。
【００３２】
排泄物処理装置１４は、当該排泄物処理装置１４全体を制御する制御部２１６を備えており、この制御部２１６によって、送風ブロワ２０５、温水ヒータ２１１、ウォータポンプ２１５、二方弁２１８等が制御される。
【００３３】
次に、排泄物処理装置１４の動作について図６及び図７を参照しながら説明する。なお、二方弁２１８は初期状態において閉鎖されている。
【００３４】
この動作は吸引工程、洗浄工程、水抜工程の３工程に大別される。
【００３５】
まず、吸引工程は、オムツ１２から排泄物などを吸引する動作であり、制御部２１６は、二方弁２１８を開き、送風ブロワ２０５を動作させる。これにより、排泄タンク２００内は、送風ブロワ２０５によって空気が吸引されて負圧に保たれ、汚物収集トレイ１２０に設けられた汚物吸引ホース接続口１２２より汚物吸引ホース１６、排泄タンク２００、送風ブロワ２０５に向かって空気が流れる一方、送風ブロワ２０５の吐出口から空気管１４３、空気管１４５、送風ホース１８、洗浄口１３４ａを通って、オムツ１２内に空気が循環する。
【００３６】
このとき、制御部２１６がウォータポンプ２１５を運転させることにより、洗浄水が洗浄水タンク２１０から水管１４８、水管１４９、分岐管１７０、二方弁２１８を経て空気管１４５へと流入する。これは、上述のように、洗浄口１３４ａの開口面積が、洗浄口１３０ａ、１３０ｂに夫々設けられた小孔より大きな面積を有するため、圧損が低いからである。そして、この空気管１４５内で前記洗浄水と空気とが混合された状態で、送風ホース１８を介してオムツ１２に送水され、洗浄口１３４ａから噴射されることで汚物の流動性を高めることにより汚物の吸引を行うものである。
【００３７】
さらに詳述すると、送風ブロワ２０５が運転すると、排泄タンク２００が負圧に保たれ、セパレータ２０２により、排泄タンク２００内の空気だけが空気管１４０に導かれ、除臭・殺菌器２０７によって空気に含まれる臭気の除去と、殺菌とが行われ、送風ブロワ２０５の吸込口に流入する。また、送風ブロワ２０５の吐出口から吐出された空気は、上記のように臭気と除菌が行われてオムツ１２内に導かれ、オムツ１２内が衛生に保たれる。
【００３８】
次に、洗浄工程は、使用者３の各部位を洗浄する動作であり、先ず、制御部２１６は、送風ブロワ２０５を動作させる。これにより、排泄タンク２００内は、送風ブロワ２０５によって空気が吸引されて負圧に保たれ、汚物収集トレイ１２０に設けられた汚物吸引ホース接続口１２２より汚物吸引ホース１６、排泄タンク２００、送風ブロワ２０５に向かって空気が流れる一方、送風ブロワ２０５の吐出口から空気管１４３、空気管１４５、送風ホース１８、洗浄口１３４ａを通って、オムツ１２内に空気が循環する。
【００３９】
このとき、ウォータポンプ２１５を運転させることにより、洗浄水タンク２１０から洗浄水が水管１４８、水管１４９、分岐管１７０、洗浄水ホース１７を経てオムツ１２の洗浄口１３０ａ、１３０ｂから噴射される。つまり、この洗浄工程にあっては、オムツ１２内から洗浄水を吸引するために、上述した吸引工程における空気の循環と同様の空気の循環も合わせて行われる。
【００４０】
水抜工程は、洗浄水ホース１７内に溜まった洗浄水を排水する動作であり、制御部２１６は、洗浄工程終了の後（すなわち、ウォータポンプ２１５の停止後）、二方弁２１８を開き、送風ブロワ２０５を運転させる。これによって、送風ブロワ２０５から吐出される空気の一部が、分岐管１４４、空気管１５０、二方弁２１８、空気管１５１、分岐管１７０、水管１５２を経て洗浄水ホース１７に導かれるため、洗浄水ホース１７内に溜まった洗浄水を排水できる。これにより、次回洗浄開始時に水管内に溜まった低温の水を少なくでき、使用者３へ噴出する低温の洗浄水を少なくできる。
【００４１】
さて、オムツ１２の各接続口１２２、１２３、１２４は、図４乃至図６に示すように、パイプ状に形成されており、トレイ本体１２０ａから外部に向けて突出している。本実施形態では、洗浄水ホース接続口１２３の周面に沿って係止板３０１が設けられている。
【００４２】
図８は、接続部材１９を示す斜視図である。
【００４３】
接続部材１９は、汚物収集トレイ１２０の突出した各接続口１２２、１２３、１２４に、各ホース１６、１７、１８を突き当てる形状のメス型のアダプタであり、各ホース１６、１７、１８の端面には、パッキン３０６、３０７、３０８が設けられている。
【００４４】
この接続部材１９における洗浄水ホース１７を挟む両側には、洗浄水ホース接続口１２３に設けた係止板３０１に係止される係止爪３１１を有する操作部３１２が設けられている。これら操作部３１２は、操作者が指で摘むことによって揺動可能となっている。
【００４５】
接続部材１９を接続部１２５に嵌合させると、各操作部３１２の係止爪３１１が係止板３０１に係止され、汚物吸引ホース１６が汚物吸引ホース接続口１２２に、洗浄水ホース１７が洗浄水ホース接続口１２３に、送風ホース１８が送風ホース接続口１２４に、それぞれ密着結合されることになる。
【００４６】
また、接続部材１９を接続部１２５から離脱させる際には、操作者が操作部３１２を摘むことにより係止爪３１１と係止板３０１との係止状態が解除され、接続部材１９を接続部１２５から離脱させることができる。
【００４７】
ところで、上記排泄物処理装置１４を動作させると、汚物吸引ホース１６の内部に汚物が付着し、汚物吸引ホース１６内が汚物で汚れてくるので、汚物吸引ホース１６内を洗浄する必要性がある。
【００４８】
そこで、汚物吸引ホース１６内を洗浄するために、まず、介護者によって、汚物吸引ホース１６、洗浄水ホース１７および送風ホース１８がオムツ１２から取り外される。つまり、接続部材１９が接続部１２５から離脱される。
【００４９】
図９は、汚物吸引ホース１６を洗浄する際の排泄物処理装置１４の接続構成を示す図である。
【００５０】
本実施形態では、汚物吸引ホース１６、洗浄水ホース１７および送風ホース１８がオムツ１２から取り外された際に、汚物吸引ホース１６と送風ホース１８とを連通させ、送風ホース１８から噴射される洗浄水および空気を、汚物吸引ホース１６に導くアダプタ３１３が、接続部材１９に接続される。
【００５１】
図１０は、接続部材１９とアダプタ３１３との接続状態を示す側断面図である。
【００５２】
アダプタ３１３が接続部材１９に接続される部分の外観は、汚物収集トレイ１２０における接続部１２５（図４乃至図６）の外観と略同形状である。
【００５３】
アダプタ３１３には、汚物吸引ホース１６に接続されるパイプ状の汚物吸引ホース接続口３２２と、送風ホース１８に接続される送風ホース接続口３２４とが備えられており、各接続口３２２、３２４を連通させる連通経路Ｒが形成されている。この連通経路Ｒは、空気や洗浄水の流通する抵抗が高くならないように、円弧状に形成されている。
【００５４】
汚物吸引ホース接続口３２２は、上記汚物吸引ホース接続口１２２（図４乃至図６）と同形状（あるいは略同形状）であり、送風ホース接続口３２４は、上記送風ホース接続口１２４と同形状（あるいは略同形状）である。つまり、アダプタ３１３は、各接続口３２２、３２４がアダプタ３１３本体から外部に向けて突出しているオス型のアダプタである。
【００５５】
さらに、アダプタ３１３には、洗浄水ホース１７の一端を閉塞する閉塞部材３２３が備えられており、この閉塞部材３２３は、外観が上記洗浄水ホース接続口１２３（図４乃至図６）と略同形状の柱状である。この閉塞部材３２３の周面に沿って、上記係止板３０１と略同形状の係止板３２５が設けられている。
【００５６】
上記構成において、接続部材１９をアダプタ３１３に嵌合させると、各操作部３１２の係止爪３１１（図８）が係止板３２５に係止され、汚物吸引ホース１６が汚物吸引ホース接続口３２２に、洗浄水ホース１７が閉塞部材３２３に、送風ホース１８が送風ホース接続口３２４に、それぞれ密着結合されることになる。
【００５７】
従って、汚物吸引ホース１６と送風ホース１８とが連通し、送風ホース１８から噴射される洗浄水および空気が、汚物吸引ホース１６に導かれ、汚物吸引ホース１６内が、排泄物処理装置１４本体より供給される洗浄水によって洗浄される。これによって、介護者は、汚物吸引ホース１６を、オムツ１２および排泄物処理装置１４本体から取り外して洗浄する必要がなくなり、汚物吸引ホース１６の洗浄作業が容易となる。
【００５８】
この排泄物処理装置１４による汚物吸引ホース１６の洗浄運転は、図９に示す筐体１５に設けた操作パネル４００の押しボタンスイッチ４０１が押下されたときに行われる。具体的に説明すると、押しボタンスイッチ４０１が押下されたとき、排泄物処理装置１４の制御部２１６（図７）は、上記吸引工程と同様に各部を制御し、排泄物処理装置１４を、吸引工程と同様に運転させる。つまり、二方弁２１８が弁開され、送風ブロワ２０５が動作され、ウォータポンプ２１５が運転されることにより、空気と共に洗浄水が、送風ホース１８を通じて汚物吸引ホース１６に噴出される。これにより、汚物吸引ホース１６の内壁にこびりついた汚物が除去され、除去された汚物が排泄タンク２００に貯留される。従って、介護者は、接続部材１９にアダプタ３１３を接続し、押しボタンスイッチ４０１を押下するだけで、排泄物処理装置１４により汚物吸引ホース１６の洗浄を行うことができる。さらに、汚物吸引ホース１６内の除去された汚物は、排泄タンク２００に貯留されるので、洗浄作業を行う場所（例えば、床）を汚すことなく、汚物吸引ホース１６を洗浄することができる。
【００５９】
なお、洗浄運転終了後は、アダプタ３１３を接続部材１９から取り外し、接続部材１９を再びオムツ１２の接続部１２５に接続すればよい。
【００６０】
以上、一実施形態に基いて本発明を説明したが、本発明は、これに限定されるものではない。
【００６１】
例えば、上記実施形態では、接続部材１９の係止爪３１１をアダプタ３１３の係止板３２５に係止させて接続部材１９とアダプタ３１３とを接続する場合について説明したが、これに限らず、接続部材とアダプタとをねじで固定するようにしてもよい。これによっても、接続部材とアダプタとは、着脱自在に接続されることとなる。同様に、接続部材と汚物収集トレイの接続部とをねじで固定するようにしてもよく、これによっても、接続部材と汚物収集トレイの接続部とは、着脱自在に接続されることとなる。
【００６２】
また、上記実施形態では、接続部材１９に各ホース１６、１７、１８が固定される場合について説明したが、これに限るものではなく、接続部材１９を省略することは可能である。この場合、各ホースを、アダプタの対応する接続口や閉塞部材に接続すればよい。なお、各ホースが各接続口や閉塞部材から抜け出るのを防止するような機構を、アダプタあるいは各ホースが備えているのが望ましい。
【図面の簡単な説明】
【００６３】
【図１】本発明の実施形態にかかる排泄物処理システムの構成を示す図である。
【図２】排泄物処理装置の外観を示す斜視図である。
【図３】オムツの外観構成を示す斜視図である。
【図４】同オムツの展開図である。
【図５】同オムツの側面図である。
【図６】同オムツの断面図である。
【図７】排泄物処理装置の構成を示す模式図である。
【図８】接続部材を示す斜視図である。
【図９】汚物吸引ホースを洗浄する際の排泄物処理装置の構成を示す図である。
【図１０】接続部材とアダプタとの接続状態を示す側断面図である。
【符号の説明】
【００６４】
１  排泄物処理システム
１２  オムツ
１４  排泄物処理装置
１４ａ  排泄物処理本体（排泄物処理手段）
１６  汚物吸引ホース
１７  洗浄水ホース
１８  送風ホース
１９  接続部材
１２２  汚物吸引ホース接続口
１２３  洗浄水ホース接続口
１２４  送風ホース接続口
２１６  制御部
３１３  アダプタ（連通手段）
４０１  押しボタンスイッチ（スイッチ）
Ｒ  連通経路
【図１】
2005334543.tif 000003
【図２】
2005334543.tif 000004
【図３】
2005334543.tif 000005
【図４】
2005334543.tif 000006
【図５】
2005334543.tif 000007
【図６】
2005334543.tif 000008
【図７】
2005334543.tif 000009
【図８】
2005334543.tif 000010
【図９】
2005334543.tif 000011
【図１０】
2005334543.tif 000012